(57)【特許請求の範囲】
【請求項１】
本体を含み、前記本体の中には五つの搬入通路が設けられ、前記搬入通路の中にはホルダーが摺動可能に連結され、前記搬入通路の中には搬送ユニットが設けられ、前記搬送ユニットによりホルダーを搬送でき、前記搬送ユニットは前記搬入通路の前壁内部に設けられた摺動道を含み、前記摺動道は五つの前記搬入通路と連通しており、前記摺動道の中にはネジ山挟持ブロックが摺動可能に取り付けられ、前記ネジ山挟持ブロックは五つの前記搬入通路の中にあるホルダーを下方へ送ることができ、
前記搬入通路の下側には回転空間が設けられ、前記回転空間の中には五つの可動ブロックが回動可能に取り付けられ、前記可動ブロックはそれぞれ前記搬入通路の下側に位置しており、前記可動ブロックの中には洗浄空間が設けられ、前記洗浄空間の中には洗浄ユニットが設けられ、前記洗浄ユニットはホルダーを洗浄でき、前記洗浄ユニットは前記洗浄空間の中に回動可能に取り付けられた回転ブロックを含み、前記回転ブロックの中には固定空間が設けられ、前記固定空間はホルダーを一時的に前記洗浄空間の中に固定して洗浄を行うことができ、
前記回転空間の後側には搬送空間が設けられ、前記搬送空間の後側にはばね空間が設けられ、前記ばね空間の中には秤量ユニットが設けられ、前記秤量ユニットは異なる重さを有するホルダーを分類でき、前記秤量ユニットは前記ばね空間の中に摺動可能に取り付けられた重量測定器を含み、前記重量測定器はホルダーの重量を測った後に、ホルダーを各重量類別の対応する出口へ送ることを特徴とするメス用ホルダーに対する自動洗浄消毒分類装置。
【請求項２】
前記搬送ユニットはさらに最も左の前記搬入通路の左壁内部に設けられたボルト空間を含み、前記ボルト空間は前記搬入通路と連通しており、前記搬入通路の中にはモータ台座が摺動可能に取り付けられ、前記モータ台座の下面内部には第一モータが固定的に取り付けられ、前記第一モータの出力軸にはボルトが固定的に取り付けられ、前記ボルトには前記ネジ山挟持ブロックが前後対称になるようにネジ山を介して取り付けられ、前記ネジ山挟持ブロックの左面内部には第一電磁石が固定的に取り付けられ、二つの前記第一電磁石は引張ばねによって連結されていることを特徴とする請求項１に記載のメス用ホルダーに対する自動洗浄消毒分類装置。
【請求項３】
前記洗浄ユニットはさらに前記洗浄空間の下壁内部に固定的に取り付けられた第二モータを含み、前記第二モータの出力軸には回転軸が固定的に取り付けられ、前記回転軸は前記回転ブロックと固定的に連結され、前記固定空間の中には海綿パッドが摺動可能に取り付けられ、前記海綿パッドの下面と前記固定空間の下壁とは圧縮ばねによって連結され、前記圧縮ばねにより、ホルダーの落下による衝撃を緩衝できることを特徴とする請求項１に記載のメス用ホルダーに対する自動洗浄消毒分類装置。
【請求項４】
前記可動ブロックの下側には支持軸がヒンジを介して連結され、前記可動ブロックの左側にはレンチ空間が設けられ、前記レンチ空間の中にはレンチが回動可能に取り付けられ、前記レンチは前記支持軸とヒンジを介して連結され、前記レンチ空間の上側には前記回転空間が設けられ、前記回転空間の後壁内部には第三モータが固定的に取り付けられ、前記第三モータの出力軸には第一リール軸が固定的に取り付けられ、前記第一リール軸には第一リールが固定的に取り付けられ、前記第一リールには第一牽引縄が巻かれ、前記第一牽引縄の他端は前記レンチと固定的に連結され、前記レンチ空間の後壁内部には第二牽引縄空間が設けられ、前記第二牽引縄空間の後壁内部には第四モータが固定的に取り付けられ、前記第四モータの出力軸には第二リール軸が固定的に取り付けられ、前記第二リール軸には第二リールが固定的に取り付けられ、前記第二リールには第二牽引縄が巻かれ、前記第二牽引縄の他端は前記レンチと固定的に連結されていることを特徴とする請求項１に記載のメス用ホルダーに対する自動洗浄消毒分類装置。
【請求項５】
前記レンチ空間の下側には前記搬送空間が設けられ、前記搬送空間の左側には伝動空間が設けられ、前記搬送空間の右壁内部には第五モータが固定的に取り付けられ、前記第五モータの出力軸には第一ローラ軸が固定的に取り付けられ、前記第一ローラ軸には第一ローラが固定的に取り付けられ、前記搬送空間の右壁と前記伝動空間の左壁との間には第二ローラ軸が回動可能に取り付けられ、前記第二ローラ軸は前記第一ローラ軸の後側に位置し、前記第二ローラ軸には第二ローラが固定的に取り付けられ、前記第二ローラと前記第一ローラとにはベルトが伝動可能に取り付けられ、前記伝動空間において前記第二ローラ軸には第一歯車が固定的に取り付けられ、前記搬送空間の後側には歯車空間が設けられ、前記歯車空間の右壁と前記伝動空間の左壁との間には連動軸が回動可能に取り付けられ、前記歯車空間において前記連動軸には五つの第三歯車が固定的に取り付けられ、前記伝動空間において前記連動軸には第二歯車が固定的に取り付けられ、前記第二歯車は前記第一歯車と噛み合っていることを特徴とする請求項４に記載のメス用ホルダーに対する自動洗浄消毒分類装置。
【請求項６】
前記秤量ユニットはさらに前記歯車空間の上側に設けられたラック空間を含み、前記ラック空間は前記歯車空間と連通しており、前記ラック空間の中にはラックが摺動可能に取り付けられ、前記ラックは下面が前記第三歯車と噛み合い、前記ラックの上面には秤量台座が固定的に取り付けられ、前記秤量台座の中には第二電磁石が固定的に取り付けられ、前記重量測定器の下面内部には永久磁石が固定的に取り付けられ、前記本体の左右面の間には三つの出口が前記本体と連通になるように設けられていることを特徴とする請求項５に記載のメス用ホルダーに対する自動洗浄消毒分類装置。
【発明の詳細な説明】
【技術分野】
【０００１】
本願発明は手術器具分野を取り上げ、特にブレードホルダーに対する自動洗浄消毒分類装置に関わる。
【背景技術】
【０００２】
メスは、外科手術や解剖に用いられる極めて鋭利な刃物である。固定した刃を持つものもあれば、柄（ハンドル）に着脱可能で使い捨てである刃を持つものもある。中で、着脱可能なタイプは汎用されている。エコ精神を発揮すべく、メス用ホルダーの再利用率を上げて資源消耗を控える必要がある。従い、本願発明を考案した。
【先行技術文献】
【特許文献】
【０００３】
【特許文献１】中国特許出願公開第１０６２６７２６７号明細書
【発明の概要】
【発明が解決しようとする課題】
【０００４】
メス用ホルダーに対する自動洗浄消毒分類装置を提供し、上記問題を解決することを目的とする。
【課題を解決するための手段】
【０００５】
本願に記載のメス用ホルダーに対する自動洗浄消毒分類装置は、本体を含み、前記本体の中には五つの搬入通路が設けられ、前記搬入通路の中にはホルダーが摺動可能に連結され、前記搬入通路の中には搬送ユニットが設けられ、前記搬送ユニットによりホルダーを搬送でき、前記搬送ユニットは前記搬入通路の前壁内部に設けられた摺動道を含み、前記摺動道は五つの前記搬入通路と連通しており、前記摺動道の中にはネジ山挟持ブロックが摺動可能に取り付けられ、前記ネジ山挟持ブロックは五つの前記搬入通路の中にあるホルダーを下方へ送ることができ、
前記搬入通路の下側には回転空間が設けられ、前記回転空間の中には五つの可動ブロックが回動可能に取り付けられ、前記可動ブロックはそれぞれ前記搬入通路の下側に位置しており、前記可動ブロックの中には洗浄空間が設けられ、前記洗浄空間の中には洗浄ユニットが設けられ、前記洗浄ユニットはホルダーを洗浄でき、前記洗浄ユニットは前記洗浄空間の中に回動可能に取り付けられた回転ブロックを含み、前記回転ブロックの中には固定空間が設けられ、前記固定空間はホルダーを一時的に前記洗浄空間の中に固定して洗浄を行うことができ、
前記回転空間の後側には搬送空間が設けられ、前記搬送空間の後側にはばね空間が設けられ、前記ばね空間の中には秤量ユニットが設けられ、前記秤量ユニットは異なる重さを有するホルダーを分類でき、前記秤量ユニットは前記ばね空間の中に摺動可能に取り付けられた重量測定器を含み、前記重量測定器はホルダーの重量を測った後に、ホルダーを各重量類別の対応する出口へ送る。
【０００６】
上記技術的解決策の上で、前記搬送ユニットはさらに最も左の前記搬入通路の左壁内部に設けられたボルト空間を含み、前記ボルト空間は前記搬入通路と連通しており、前記搬入通路の中にはモータ台座が摺動可能に取り付けられ、前記モータ台座の下面内部には第一モータが固定的に取り付けられ、前記第一モータの出力軸にはボルトが固定的に取り付けられ、前記ボルトには前記ネジ山挟持ブロックが前後対称になるようにネジ山を介して取り付けられ、前記ネジ山挟持ブロックの左面内部には第一電磁石が固定的に取り付けられ、二つの前記第一電磁石は引張ばねによって連結されている。
【０００７】
上記技術的解決策の上で、前記洗浄ユニットはさらに前記洗浄空間の下壁内部に固定的に取り付けられた第二モータを含み、前記第二モータの出力軸には回転軸が固定的に取り付けられ、前記回転軸は前記回転ブロックと固定的に連結され、前記固定空間の中には海綿パッドが摺動可能に取り付けられ、前記海綿パッドの下面と前記固定空間の下壁とは圧縮ばねによって連結され、前記圧縮ばねにより、ホルダーの落下による衝撃を緩衝できる。
【０００８】
上記技術的解決策の上で、前記可動ブロックの下側には支持軸がヒンジを介して連結され、前記可動ブロックの左側にはレンチ空間が設けられ、前記レンチ空間の中にはレンチが回動可能に取り付けられ、前記レンチは前記支持軸とヒンジを介して連結され、前記レンチ空間の上側には前記回転空間が設けられ、前記回転空間の後壁内部には第三モータが固定的に取り付けられ、前記第三モータの出力軸には第一リール軸が固定的に取り付けられ、前記第一リール軸には第一リールが固定的に取り付けられ、前記第一リールには第一牽引縄が巻かれ、前記第一牽引縄の他端は前記レンチと固定的に連結され、前記レンチ空間の後壁内部には第二牽引縄空間が設けられ、前記第二牽引縄空間の後壁内部には第四モータが固定的に取り付けられ、前記第四モータの出力軸には第二リール軸が固定的に取り付けられ、前記第二リール軸には第二リールが固定的に取り付けられ、前記第二リールには第二牽引縄が巻かれ、前記第二牽引縄の他端は前記レンチと固定的に連結されている。
【０００９】
上記技術的解決策の上で、前記レンチ空間の下側には前記搬送空間が設けられ、前記搬送空間の左側には伝動空間が設けられ、前記搬送空間の右壁内部には第五モータが固定的に取り付けられ、前記第五モータの出力軸には第一ローラ軸が固定的に取り付けられ、前記第一ローラ軸には第一ローラが固定的に取り付けられ、前記搬送空間の右壁と前記伝動空間の左壁との間には第二ローラ軸が回動可能に取り付けられ、前記第二ローラ軸は前記第一ローラ軸の後側に位置し、前記第二ローラ軸には第二ローラが固定的に取り付けられ、前記第二ローラと前記第一ローラとにはベルトが伝動可能に取り付けられ、前記伝動空間において前記第二ローラ軸には第一歯車が固定的に取り付けられ、前記搬送空間の後側には歯車空間が設けられ、前記歯車空間の右壁と前記伝動空間の左壁との間には連動軸が回動可能に取り付けられ、前記歯車空間において前記連動軸には五つの第三歯車が固定的に取り付けられ、前記伝動空間において前記連動軸には第二歯車が固定的に取り付けられ、前記第二歯車は前記第一歯車と噛み合っている。
【００１０】
上記技術的解決策の上で、前記秤量ユニットはさらに前記歯車空間の上側に設けられたラック空間を含み、前記ラック空間は前記歯車空間と連通しており、前記ラック空間の中にはラックが摺動可能に取り付けられ、前記ラックは下面が前記第三歯車と噛み合い、前記ラックの上面には秤量台座が固定的に取り付けられ、前記秤量台座の中には第二電磁石が固定的に取り付けられ、前記重量測定器の下面内部には永久磁石が固定的に取り付けられ、前記本体の左右面の間には三つの出口が前記本体と連通になるように設けられている。
【発明の効果】
【００１１】
本発明は以下のプラス効果を有する：本願発明はボルトにネジ山を介して取り付けた挟持部により、ホルダーを下方へ送り、自由落下による衝撃ダメージを控えられ、また、海綿凹溝によりホルダーを固定し、損傷を抑え、さらに、牽引縄により洗浄空間の角度を精確に調整でき、他にも、高精度の重量測定器を用いることで、ホルダーの重量によって分類を行い、実施可能性が高く、普及に値する。
【図面の簡単な説明】
【００１２】
下記に図１〜６を合わせて本発明について詳しく説明し、便利に説明するために、本願に記載の各方向を以下のように規定する：図１は本願発明の正面図であり、本願に記載の各方向は、図１における観察方向に基づくものである。
【００１３】
【図１】図１は本願発明の全体構成略図
【図２】図２は図１におけるＡ―Ａの断面図
【図３】図３は図１におけるＢ―Ｂの断面図
【図４】図４は図１におけるＣ―Ｃの断面図
【図５】図５は図４の上面図
【図６】図６は図４におけるＤ―Ｄの断面図
【発明を実施するための形態】
【００１４】
図１〜６を参照し、本願に記載のメス用ホルダーに対する自動洗浄消毒分類装置は、本体１０を含み、前記本体１０の中には五つの搬入通路２１が設けられ、前記搬入通路２１の中にはホルダーが摺動可能に連結され、前記搬入通路２１の中には搬送ユニット８０が設けられ、前記搬送ユニット８０によりホルダーを搬送でき、前記搬送ユニット８０は前記搬入通路２１の前壁内部に設けられた摺動道２４を含み、前記摺動道２４は五つの前記搬入通路２１と連通しており、前記摺動道２４の中にはネジ山挟持ブロック３２が摺動可能に取り付けられ、前記ネジ山挟持ブロック３２は五つの前記搬入通路２１の中にあるホルダーを下方へ送ることができ、
前記搬入通路２１の下側には回転空間１５が設けられ、前記回転空間１５の中には五つの可動ブロック３０が回動可能に取り付けられ、前記可動ブロック３０はそれぞれ前記搬入通路２１の下側に位置しており、前記可動ブロック３０の中には洗浄空間６３が設けられ、前記洗浄空間６３の中には洗浄ユニット８１が設けられ、前記洗浄ユニット８１はホルダーを洗浄でき、前記洗浄ユニット８１は前記洗浄空間６３の中に回動可能に取り付けられた回転ブロック６４を含み、前記回転ブロック６４の中には固定空間２８が設けられ、前記固定空間２８はホルダーを一時的に前記洗浄空間６３の中に固定して洗浄を行うことができ、
前記回転空間１５の後側には搬送空間５９が設けられ、前記搬送空間５９の後側にはばね空間４５が設けられ、前記ばね空間４５の中には秤量ユニット８２が設けられ、前記秤量ユニット８２は異なる重さを有するホルダーを分類でき、前記秤量ユニット８２は前記ばね空間４５の中に摺動可能に取り付けられた重量測定器４８を含み、前記重量測定器４８はホルダーの重量を測った後に、ホルダーを各重量類別の対応する出口へ送る。
【００１５】
前記搬送ユニット８０はさらに最も左の前記搬入通路２１の左壁内部に設けられたボルト空間１９を含み、前記ボルト空間１９は前記搬入通路２１と連通しており、前記搬入通路２１の中にはモータ台座６５が摺動可能に取り付けられ、前記モータ台座６５の下面内部には第一モータ２０が固定的に取り付けられ、前記第一モータ２０の出力軸にはボルト１８が固定的に取り付けられ、前記ボルト１８には前記ネジ山挟持ブロック３２が前後対称になるようにネジ山を介して取り付けられ、前記ネジ山挟持ブロック３２の左面内部には第一電磁石２３が固定的に取り付けられ、二つの前記第一電磁石２３は引張ばね３３によって連結され、
ホルダーを搬入通路２１の中に置くと、二つの第一電磁石２３は通電により吸収し合い、ネジ山挟持ブロック３２を連動させてネジ山挟持ブロック３２にホルダーを挟持させ、第一モータ２０を作動させ、第一モータ２０はボルト１８を駆動して回転させ、ボルト１８はさらにネジ山挟持ブロック３２を連動させて降下させ、ホルダーはネジ山挟持ブロック３２につれて降下し、洗浄剤を搬入通路２１から洗浄空間６３に入れて貯蔵し、ホルダーが搬入通路２１の下側まで運動したら、第一電磁石２３を停電させることで、ホルダーは洗浄空間６３に落下し、且つ固定空間２８に固定され、洗浄に備える。
【００１６】
前記洗浄ユニット８１はさらに前記洗浄空間６３の下壁内部に固定的に取り付けられた第二モータ３１を含み、前記第二モータ３１の出力軸には回転軸２９が固定的に取り付けられ、前記回転軸２９は前記回転ブロック６４と固定的に連結され、前記固定空間２８の中には海綿パッド２７が摺動可能に取り付けられ、前記海綿パッド２７の下面と前記固定空間２８の下壁とは圧縮ばね１１によって連結され、前記圧縮ばね１１により、ホルダーの落下による衝撃を緩衝でき、
ホルダーを固定空間２８に固定したら、第二モータ３１を作動させ、第二モータ３１は回転軸２９を駆動して回転させ、回転ブロック６４は回転軸２９につれて回転し、圧縮ばね１１、海綿パッド２７、ホルダーを連動させて回転させ、洗浄を行う。
【００１７】
前記可動ブロック３０の下側には支持軸１２がヒンジを介して連結され、前記可動ブロック３０の左側にはレンチ空間１３が設けられ、前記レンチ空間１３の中にはレンチ１４が回動可能に取り付けられ、前記レンチ１４は前記支持軸１２とヒンジを介して連結され、前記レンチ空間１３の上側には前記回転空間１５が設けられ、前記回転空間１５の後壁内部には第三モータ３８が固定的に取り付けられ、前記第三モータ３８の出力軸には第一リール軸１６が固定的に取り付けられ、前記第一リール軸１６には第一リール１７が固定的に取り付けられ、前記第一リール１７には第一牽引縄が巻かれ、前記第一牽引縄の他端は前記レンチ１４と固定的に連結され、前記レンチ空間１３の後壁内部には第二牽引縄空間３４が設けられ、前記第二牽引縄空間３４の後壁内部には第四モータ３５が固定的に取り付けられ、前記第四モータ３５の出力軸には第二リール軸３７が固定的に取り付けられ、前記第二リール軸３７には第二リール３６が固定的に取り付けられ、前記第二リール３６には第二牽引縄が巻かれ、前記第二牽引縄の他端は前記レンチ１４と固定的に連結され、ホルダーを洗浄し終えたら、第四モータ３５を作動させ、第四モータ３５は第二リール軸３７を駆動して回転させ、第二リール３６は第二リール軸３７につれて回転し、第二牽引縄を引くことでレンチ１４を反時計回り方向へ回転させ、レンチ１４はさらに可動ブロック３０を連動させて反時計回り方向へ回転させることで、固定空間２８の中のホルダーを送り出す。
【００１８】
前記レンチ空間１３の下側には前記搬送空間５９が設けられ、前記搬送空間５９の左側には伝動空間５８が設けられ、前記搬送空間５９の右壁内部には第五モータ６０が固定的に取り付けられ、前記第五モータ６０の出力軸には第一ローラ軸５３が固定的に取り付けられ、前記第一ローラ軸５３には第一ローラ５２が固定的に取り付けられ、前記搬送空間５９の右壁と前記伝動空間５８の左壁との間には第二ローラ軸５０が回動可能に取り付けられ、前記第二ローラ軸５０は前記第一ローラ軸５３の後側に位置し、前記第二ローラ軸５０には第二ローラ４９が固定的に取り付けられ、前記第二ローラ４９と前記第一ローラ５２とにはベルト５１が伝動可能に取り付けられ、前記伝動空間５８において前記第二ローラ軸５０には第一歯車６１が固定的に取り付けられ、前記搬送空間５９の後側には歯車空間４４が設けられ、前記歯車空間４４の右壁と前記伝動空間５８の左壁との間には連動軸４２が回動可能に取り付けられ、前記歯車空間４４において前記連動軸４２には五つの第三歯車４３が固定的に取り付けられ、前記伝動空間５８において前記連動軸４２には第二歯車５７が固定的に取り付けられ、前記第二歯車５７は前記第一歯車６１と噛み合い、ホルダーがベルト５１に落下したら、第五モータ６０を作動させ、第五モータ６０は第一ローラ軸５３を連動させて回転させ、第一ローラ軸５３は第一ローラ５２を連動させて回転させ、ベルト５１は第一ローラ５２につれて回転し、第二ローラ４９を連動させて回転させ、第二ローラ軸５０は第二ローラ４９につれて回転し、第一歯車６１を連動させて回転させ、第二歯車５７は第一歯車６１につれて回転し、連動軸４２を連動させて回転させ、第三歯車４３は連動軸４２につれて回転し、ホルダーを重量測定器４８に送って秤量に備える。  
【００１９】
前記秤量ユニット８２はさらに前記歯車空間４４の上側に設けられたラック空間４１を含み、前記ラック空間４１は前記歯車空間４４と連通しており、前記ラック空間４１の中にはラック５６が摺動可能に取り付けられ、前記ラック５６は下面が前記第三歯車４３と噛み合い、前記ラック５６の上面には秤量台座６６が固定的に取り付けられ、前記秤量台座６６の中には第二電磁石６７が固定的に取り付けられ、前記重量測定器４８の下面内部には永久磁石４７が固定的に取り付けられ、前記本体１０の左右面の間には三つの出口４０が前記本体１０と連通になるように設けられ、
第二電磁石６７を通電させ、第二電磁石６７は永久磁石４７を吸収して降下させ、重量測定器４８が永久磁石４７につれて降下し、ホルダーが重量測定器４８に落下して秤量されたら、第二電磁石６７を停電させ、重量測定器４８はホルダーを重量によって対応する重量類別の出口４０へ送り、分類を完了とする。
【００２０】
はじめに、可動ブロック３０は回転空間１５の下壁に対して垂直し、且つ搬入通路２１と連通しており、第一牽引縄は引き締まり、第二牽引縄は緩み、レンチ１４をレンチ空間１３の下壁に固定し、ラック５６はラック空間４１の最前端に運動する。
【００２１】
使用するには、ホルダーを搬入通路２１の中に置き、二つの第一電磁石２３は通電により吸収し合い、ネジ山挟持ブロック３２を連動させてネジ山挟持ブロック３２にホルダーを挟持させ、第一モータ２０を作動させ、第一モータ２０はボルト１８を駆動して回転させ、ボルト１８はさらにネジ山挟持ブロック３２を連動させて降下させ、ホルダーはネジ山挟持ブロック３２につれて降下し、洗浄剤を搬入通路２１から洗浄空間６３に入れて貯蔵し、ホルダーが搬入通路２１の下側まで運動したら、第一電磁石２３を停電させることで、ホルダーは洗浄空間６３に落下し、且つ固定空間２８に固定され、洗浄に備え、ホルダーを固定空間２８に固定したら、第二モータ３１を作動させ、第二モータ３１は回転軸２９を駆動して回転させ、回転ブロック６４は回転軸２９につれて回転し、圧縮ばね１１、海綿パッド２７、ホルダーを連動させて回転させ、洗浄を行い、ホルダーを洗浄し終えたら、第四モータ３５を作動させ、第四モータ３５は第二リール軸３７を駆動して回転させ、第二リール３６は第二リール軸３７につれて回転し、第二牽引縄を引くことでレンチ１４を反時計回り方向へ回転させ、レンチ１４はさらに可動ブロック３０を連動させて反時計回り方向へ回転させることで、固定空間２８の中のホルダーを送り出し、
ホルダーがベルト５１に落下し、第五モータ６０を作動させ、第五モータ６０は第一ローラ軸５３を駆動して回転させ、第一ローラ軸５３は第一ローラ５２を連動させて回転させ、ベルト５１は第一ローラ５２につれて回転し、第二ローラ４９を連動させて回転させ、第二ローラ軸５０は第二ローラ４９につれて回転し、第一歯車６１を連動させて回転させ、第二歯車５７は第一歯車６１につれて回転し、連動軸４２を連動させて回転させ、第三歯車４３は連動軸４２につれて回転し、ホルダーを重量測定器４８に送って秤量に備え、第二電磁石６７を通電させ、第二電磁石６７は永久磁石４７を吸収して降下させ、重量測定器４８が永久磁石４７につれて降下し、ホルダーが重量測定器４８に落下して秤量されたら、第二電磁石６７を停電させ、重量測定器４８はホルダーを重量によって対応する類別出口４０へ送り、分類を完了とする。
【００２２】
以上の方式により、当該分野の従業員は本願発明の範囲内で作業状況に応じて様々な改変を加えられる。
【要約】
【課題】本願はメス用ホルダーに対する自動洗浄消毒分類装置を開示した。
【解決手段】
本願に記載のメス用ホルダーに対する自動洗浄消毒分類装置は、本体を含み、前記本体の中には五つの搬入通路が設けられ、前記搬入通路の中にはホルダーが摺動可能に連結され、前記搬入通路の中には搬送ユニットが設けられ、前記搬送ユニットによりホルダーを搬送でき、前記搬送ユニットは前記搬入通路の前壁内部に設けられた摺動道を含み、前記摺動道は五つの前記搬入通路と連通しており、前記摺動道の中にはネジ山挟持ブロックが摺動可能に取り付けられ、前記ネジ山挟持ブロックは五つの前記搬入通路の中にあるホルダーを下方へ送ることができ、前記搬入通路の下側には回転空間が設けられている。
【選択図】図１【図１】
0006810865.tif 000002
【図２】
0006810865.tif 000003
【図３】
0006810865.tif 000004
【図４】
0006810865.tif 000005
【図５】
0006810865.tif 000006
【図６】
0006810865.tif 000007